(57)【要約】【課題】インデックス紙をコピー用紙に貼付ける作業を必要としないインデックス付きコピー用紙、及びインデックス部作成方法を提供する。【解決手段】報告書等を作成するためのコピー用紙であって、見開側側面部分（見開側端部）に項目を示すインデックス部を設けた。インデックス部は項目ごとにコピー用紙の長手方向に位置を変えて付され、階段状に検討項目が整理される。【選択図】図１
2006062112.tif 000002
【特許請求の範囲】
【請求項１】
見開部の端部又は見開部の側面部分に項目を示すインデックス部を有することを特徴とするコピー用紙。
【請求項２】
前記インデックス部は項目ごとにコピー用紙の長手方向に位置を変えて付されることを特徴とする請求項１記載のコピー用紙。
【請求項３】
前記インデックス部は項目ごとに色を変えて付されることを特徴とする請求項１又は２記載のコピー用紙。
【請求項４】
パソコン画面上でデータ編集を行う際に原稿の見開部の端部に項目を示すインデックス部を付与することを特徴とするインデックス部作成方法。
【請求項５】
前記インデックス部は項目ごとに原稿の長手方向に位置を変えて付することを特徴とする請求項４記載のインデックス部作成方法。
【発明の詳細な説明】
【技術分野】
【０００１】
本発明は、電子複写機で使用されるコピー用紙の印刷加工に関するものである。
【背景技術】
【０００２】
従来のコピー用紙５（報告書）には、図５に示すように見開部３にはインデックス部が設けられておらず、報告書等を印刷製本する際に項目ごとにインデックス紙をコピー用紙５の見開部３に貼付けて検討項目の検索を容易にしていた。
また、先行技術について検索して見たが、インデックスの貼付位置を設定したもの(特許文献１参照)や、コピー用紙側面の中点を示す印を付けたもの（特許文献２参照）は見られたが、本願と類似する箇所は見られなかった。
【特許文献１】特開２０００−３５５１８０号広報
【特許文献２】実登３０８２７８２号広報
【発明の開示】
【発明が解決しようとする課題】
【０００３】
しかしながら、従来の技術によれば、インデックス紙をコピー用紙に貼付ける作業は手間がかかる上に印刷製本されたものを長期間使用しているとインデックス紙が剥がれてしまう可能性があり、一旦剥がれてしまうと再度新しいインデックス紙を貼付ける必要があり、またインデックス紙は印刷製本されたものを収納する際に邪魔になっていた。そこでこの発明は、このような課題に鑑み考案されたもので、インデックス紙をコピー用紙に貼付ける作業を必要としないインデックス付きコピー用紙、及びインデックス部作成方法を提供することを課題とする。
【課題を解決するための手段】
【０００４】
以上の課題を解決するために、第一発明では、請求項１に記載の様にコピー用紙の見開部の端部又は見開部の側面部分に項目を示すインデックス部を有するコピー用紙を提供する。
また、第二発明では、請求項２に記載の様にインデックス部が項目ごとにコピー用紙の長手方向に（見開部側面に添って）位置を変えて付されたコピー用紙を提供する。
第三発明では、請求項３に記載の様に、インデックス部が項目ごとに色を変えて付されるコピー用紙を提供する。上記した構成によればインデックス紙を使用することなくすぐに該当する項目部分を見開くことができ、迅速な検討項目の検索が可能になる。
第四発明では、請求項４に記載の様にコピー用紙にインデックス部を作成する方法であり、パソコン画面上でデータ編集を行い原稿を作成する際、原稿の見開部の側面部分に項目を示すインデックス部を付与する方法である。
第五発明では、請求項５に記載の様にインデックス部は項目ごとに原稿の長手方向に位置を変えて付される方法である。上記の方法によれば、コピー用紙にあらかじめインデックス部を付して原稿をそのコピー用紙に印刷することなしにインデックス部とともに原稿を直接コピー用紙に印刷することが可能になる。
【発明の効果】
【０００５】
本発明は、上記説明から明らかなように、報告書等の検討項目の検索を行う場合、報告書の見開部３の側面を見るだけで検討項目ごとの検索が容易になる。したがって、検討項目別にインデックス紙等の貼付けが不要となる。
【発明を実施するための最良の形態】
【０００６】
「本発明の第一の実施形態」
図１は、本発明の第一実施形態にかかるコピー用紙１を用いて作成された報告書の斜視図である。図２は、図1の報告書見開部３の側面図である。図３はインデックス部２の平面図である。
図１、２に示すように、本発明のコピー用紙１（例えば、１パック５００枚）には、その見開部３の側面にインデックス部（項目マーク）が項目ごとにコピー用紙１の長手方向に（見開部に添って）位置をずらして階段状に印刷されている。例えば、図１、２においては１５の検討項目に相当するインデックス部が表示されている。これにより検討項目の検索を視覚的に容易に行うことができる。また、この場合インデックス部２を検討項目ごとに異なった色で着色すれば視覚的により検討項目の検索が容易になる。
図１、２においては、インデックス部２は見開部３の側面に付与されているが、本発明は必ずしもこれに限定されず、インデックス部２は見開部３の端部（図３参照）に形成してもよい。この場合も、見開部３の側面においてインデックス部２を確認することが可能でインデックス（項目マーク）としての機能を発揮する。
インデックス部２のサイズは特に限定されるものではないが、具体的には、図３に示すように、たとえば１つのインデックス群（１つの項目に相当）はコピー用紙３から１６枚程度（検討項目の量により異なる）を対象とし、１つのインデックス部２の長さは１．５cm程度である。また、インデックス部２を見開部３の端部に付与する場合、その幅は０．２ｃｍ程度にする。いずれにしてもインデックス部２のサイズは検討項目数、見易さを考慮して決定すればよい。
【０００７】
「本発明の第二の実施形態」
本発明の第二の実施形態は、パソコン画面上で原稿４の見開部３の端部に項目を示すインデックス部を付与する方法（ソフト的処理）に関するものである。
図４はパソコン画面上に表示されたＡ４版原稿４を示すものである。図４に示すように、例えば、マイクロソフト社製ワードやエクセル等を用いてパソコン画面上で原稿４を作成する際にインデックス部も同時に記入すれば、原稿をインデックスとともに直接コピー用紙５に印刷することが可能になる。インデックス部作成は使用するアプリケーションの機能を用い行うが、例えば多数の線をインデックス部分に記載することによってもインデックス部２を作成することができる。本発明の第二の実施形態によれば、報告書等の作成にあたっての製本が極めて容易になる。なお、この方法を実施するにあたっては、アプリケーションソフトの変更を伴うことは当然である。
【０００８】
「実施形態の効果」
この実施形態によれば、報告書等の検討項目の検索を行う場合、報告書の見開部３の側面を見るだけで検討項目ごとの検索が容易となる。したがって、検討項目別にインデックス等の貼付けが不要となる。
【０００９】
「他の実施形態」
図１の実施形態では、コピー用紙Ａ４版に対して検討項目数（１〜１５）を１５と設定してインデックス箇所を１５としたが、他の実施形態では、インデックス箇所は報告書の検討項目個数（１５以上・以下）に整合させたものでも良い。
【図面の簡単な説明】
【００１０】
【図１】本発明の第一実施形態にかかわるコピー用紙を用いて作成された報告書の斜視図である。
【図２】本発明の第一実施形態にかかわる報告書の見開部側面図である。
【図３】本発明の第一実施形態にかかわる報告書に表示したインデックス部を示す平面図である。
【図４】パソコン画面上に表示されたＡ４版原稿を示す平面図である。
【図５】従来のコピー用紙を用いた報告書の斜視図である。
【符号の説明】
【００１１】
１  インデックス部付コピー用紙
２  インデックス部（黒又はカラー）
３  見開部
４  パソコンワード画面
５  従来のコピー用紙
【図１】
2006062112.tif 000003
【図２】
2006062112.tif 000004
【図３】
2006062112.tif 000005
【図４】
2006062112.tif 000006
【図５】
2006062112.tif 000007